(57)【特許請求の範囲】
【請求項１】
ケーシング内を仕切板により熱交換器室と送風機室とに区画し、これら送風機室および熱交換器室に吸込口と吹出口とを設け、前記熱交換器室に熱交換器を設け、前記送風機室の前記仕切板寄りにファンケーシングに収容された送風機を設け、前記ファンケーシングの前面に前面パネルを装着するとともに、前記吸込口に吸込グリルを付設してその内面側にエアフィルタを着脱可能に取り付けるようにした空気調和機において、
前記吸込グリルは、平行な多数の横桟とこれらを連結する複数の縦桟とで構成されるとともに、前記仕切板の近傍に、前記エアフィルタを前記吸込グリルの内面側に挿脱する挿脱口を有し、
前記エアフィルタは、少なくとも両側にフィルタガイド受け部およびフィルタ取付部を有し、前記挿脱口から挿脱する挿脱方向に直交して弾性変形が可能な変形手段を有した枠体と、前記フィルタ取付部に取り付けられるフィルタとで構成され、
前記ケーシングに、前記挿脱口に連なり、前記フィルタガイド受け部を前記吸込グリルの内面側に着脱可能に導くフィルタガイドを設け、
前記エアフィルタを着脱可能に取り付ける際、同エアフィルタを、前記挿脱口から挿入するとともに、弾性変形させながら、前記フィルタガイドにより前記吸込グリルの内面側に導いて取り付けるようにしたことを特徴とする空気調和機のエアフィルタ取付構造。
【請求項２】
前記変形手段が、弾性を有する合成樹脂により帯状に形成された前記フィルタガイド受け部と、同フィルタガイド受け部に下端部が接続されて波形の断面形状に折曲形成された前記フィルタ取付部とで構成されてなることを特徴とする請求項１に記載の空気調和機のエアフィルタ取付構造。
【請求項３】
前記エアフィルタを構成する前記フィルタ取付部に、両側部から吸込空気が流入しないように遮蔽する側壁を設けたことを特徴とする請求項１または請求項２に記載の空気調和機のエアフィルタ取付構造。
【請求項４】
前記側壁を、前記エアフィルタを構成する前記枠体と一体的に形成したことを特徴とする請求項１または請求項３に記載の空気調和機のエアフィルタ取付構造。
【請求項５】
前記挿脱口およびこれに対応する前記フィルタガイドを複数に分割する一方、これら複数の挿脱口およびフィルタガイドに対応して、前記エアフィルタを複数に分割したことを特徴とする請求項１乃至請求項３に記載の空気調和機のエアフィルタ取付構造。
【請求項６】
前記フィルタ取付部の波形状部は、同波形状部に取り付けられる前記フィルタが前記送風機にほぼ対向する箇所の高さ寸法を先端部に比べて少許大きく形成し、同波形状部に沿わせて前記フィルタを取り付けるようにしたことを特徴とする請求項１乃至請求項３に記載の空気調和機のエアフィルタ取付構造。
【請求項７】
前記フィルタ取付部の波形状部は、同波形状部に取り付けられる前記フィルタが前記送風機にほぼ対向する箇所のピッチ寸法を先端部に比べて少許小さく形成し、同波形状部に沿わせて前記フィルタを取り付けるようにしたことを特徴とする請求項１、請求項２、請求項３または請求項６に記載の空気調和機のエアフィルタ取付構造。
【請求項８】
前記フィルタガイドが、前記吸込グリルの内面に形成したグリルリブに対向して設けられ、これらグリルリブおよびフィルタガイドの間に、前記フィルタガイド受け部を挿脱可能に導くようにしたことを特徴とする請求項１、請求項２または請求項５に記載の空気調和機のエアフィルタ取付構造。
【請求項９】
前記フィルタガイドが、前記ケーシングおよび前記仕切板の間に架設されていることを特徴とする請求項１または請求項８に記載の空気調和機のエアフィルタ取付構造。
【請求項１０】
前記グリルリブが、前記挿脱口の周縁に沿って設けられるとともに、前記吸込グリルの横桟に対し鈍角状に形成されていることを特徴とする請求項１または請求項８に記載の空気調和機のエアフィルタ取付構造。
【請求項１１】
前記グリルリブの先端部および前記フィルタガイド間の隙間が、該隙間に挿脱可能に収容される前記フィルタガイド受け部よりも大きい寸法で形成される一方、前記エアフィルタの取外し時に前記グリルリブと前記フィルタガイド受け部とを接触させた際、前記吸込グリルの横桟と前記エアフィルタのフィルタとの間に隙間を形成するようにしたことを特徴とする請求項１、請求項５乃至請求項１０に記載の空気調和機のエアフィルタ取付構造。
【請求項１２】
前記エアフィルタの基端部に、複数の横リブとこれらを連結する縦リブとを設け、同縦リブが前記前面パネルの端面と前記吸込グリルの横桟との間に嵌合するようにしたことを特徴とする請求項１に記載の空気調和機のエアフィルタ取付構造。
【請求項１３】
前記エアフィルタの縦リブに、前記前面パネルに対向するテーパ部を設けたことを特徴とする請求項１２に記載の空気調和機のエアフィルタ取付構造。
【請求項１４】
前記エアフィルタの横リブおよび縦リブを、前記吸込グリルの横桟および縦桟に連続させて設けたことを特徴とする請求項１、請求項１０乃至請求項１３に記載の空気調和機のエアフィルタ取付構造。
【請求項１５】
前記横リブおよび前記縦リブを、前記エアフィルタの枠体と一体的に形成したことを特徴とする請求項１４に記載の空気調和機のエアフィルタ取付構造。
【発明の詳細な説明】
【０００１】
【発明の属する技術分野】
本発明は、空気調和機の吸込口に着脱可能に取り付けられるエアフィルタに係わり、より詳細には、エアフィルタを弾性により変形可能な構成にして、吸込グリルを取り外すことなく容易に着脱できるようにしたエアフィルタ取付構造に関する。
【０００２】
【従来の技術】
天井吊下げ型の空気調和機の吸込口に設けられる従来のエアフィルタ取付構造は、例えば実開平４ー１３６４２８号で開示されているように、吸込グリルを取り外してエアフィルタを清掃するようにした構成や、または実開平３ー１１５３２８号で開示されているように、前記吸込グリルを開けて前記エアフィルタを取り付けるようにした構成でなる事例が知られていた。
【０００３】
しかしながら、前記エアフィルタは、前記吸込グリルを取り外したり開いたりして取り出すようにした構成であるため脱着するのに手間が掛かる上、もし、運転中に前記吸込グリルを取り外したり開いたりした場合には、空気調和機の吸込口から頭髪が吸い込まれるといった事故が発生する恐れがあり危険であった。
【０００４】
【発明が解決しようとする課題】
本発明においては、前記問題点に鑑み、エアフィルタを弾性により変形可能な構成にして、吸込グリルを取り外すことなく容易に着脱できるようにした空気調和機のエアフィルタ取付構造を提供することを目的とする。
【０００５】
【課題を解決するための手段】
本発明は、上記の課題を解決するため、ケーシング内を仕切板により熱交換器室と送風機室とに区画し、これら送風機室および熱交換器室に吸込口と吹出口とを設け、前記熱交換器室に熱交換器を設け、前記送風機室の前記仕切板寄りにファンケーシングに収容された送風機を設け、前記ファンケーシングの前面に前面パネルを装着するとともに、前記吸込口に吸込グリルを付設してその内面側にエアフィルタを着脱可能に取り付けるようにした空気調和機において、
前記吸込グリルは、平行な多数の横桟とこれらを連結する複数の縦桟とで構成されるとともに、前記仕切板の近傍に、前記エアフィルタを前記吸込グリルの内面側に挿脱する挿脱口を有し、
前記エアフィルタは、少なくとも両側にフィルタガイド受け部およびフィルタ取付部を有し、前記挿脱口から挿脱する挿脱方向に直交して弾性変形が可能な変形手段を有した枠体と、前記フィルタ取付部に取り付けられるフィルタとで構成され、
前記ケーシングに、前記挿脱口に連なり、前記フィルタガイド受け部を前記吸込グリルの内面側に着脱可能に導くフィルタガイドを設け、
前記エアフィルタを着脱可能に取り付ける際、同エアフィルタを、前記挿脱口から挿入するとともに、弾性変形させながら、前記フィルタガイドにより前記吸込グリルの内面側に導いて取り付けるようにした構成となっている。
【０００６】
また、前記変形手段が、弾性を有する合成樹脂により帯状に形成された前記フィルタガイド受け部と、同フィルタガイド受け部に下端部が接続されて波形の断面形状に折曲形成された前記フィルタ取付部とで構成されてなる構成となっている。
【０００７】
また、前記エアフィルタを構成する前記フィルタ取付部に、両側部から吸込空気が流入しないように遮蔽する側壁を設けた構成となっている。
【０００８】
また、前記側壁を、前記エアフィルタを構成する前記枠体と一体的に形成した構成となっている。
【０００９】
また、前記挿脱口およびこれに対応する前記フィルタガイドを複数に分割する一方、これら複数の挿脱口およびフィルタガイドに対応して、前記エアフィルタを複数に分割した構成となっている。
【００１０】
また、前記フィルタ取付部の波形状部は、同波形状部に取り付けられる前記フィルタが前記送風機にほぼ対向する箇所の高さ寸法を先端部に比べて少許大きく形成し、同波形状部に沿わせて前記フィルタを取り付けるようにした構成となっている。
【００１１】
また、前記フィルタ取付部の波形状部は、同波形状部に取り付けられる前記フィルタが前記送風機にほぼ対向する箇所のピッチ寸法を先端部に比べて少許小さく形成し、同波形状部に沿わせて前記フィルタを取り付けるようにした構成となっている。
【００１２】
また、前記フィルタガイドが、前記吸込グリルの内面に形成したグリルリブに対向して設けられ、これらグリルリブおよびフィルタガイドの間に、前記フィルタガイド受け部を挿脱可能に導くようにした構成となっている。
【００１３】
また、前記フィルタガイドが、前記ケーシングおよび前記仕切板の間に架設された構成となっている。
【００１４】
また、前記グリルリブが、前記挿脱口の周縁に沿って設けられるとともに、前記吸込グリルの横桟に対し鈍角状に形成された構成となっている。
【００１５】
また、前記グリルリブの先端部および前記フィルタガイド間の隙間が、該隙間に挿脱可能に収容される前記フィルタガイド受け部よりも大きい寸法で形成される一方、前記エアフィルタの取外し時に前記グリルリブと前記フィルタガイド受け部とを接触させた際、前記吸込グリルの横桟と前記エアフィルタのフィルタとの間に隙間を形成するようにした構成となっている。
【００１６】
また、前記エアフィルタの基端部に、複数の横リブとこれらを連結する縦リブとを設け、同縦リブが前記前面パネルの端面と前記吸込グリルの横桟との間に嵌合するようにした構成となっている。
【００１７】
また、前記エアフィルタの縦リブに、前記前面パネルに対向するテーパ部を設けた構成となっている。
【００１８】
また、前記エアフィルタの横リブおよび縦リブを、前記吸込グリルの横桟および縦桟に連続させて設けた構成となっている。
【００１９】
更に、前記横リブおよび前記縦リブを、前記エアフィルタの枠体と一体的に形成した構成となっている。
【００２０】
【発明の実施の形態】
以下、本発明の実施の形態を、添付図面に基づいた実施例として説明する。
図１乃至図６（Ｂ）と、図７（Ａ）および図７（Ｂ）と、図８乃至図１６とにおいて、１は壁面Ｂに沿わせて天井面Ａに吊下げ設置された天井吊下げ型の空気調和機本体、２は同本体１を構成するケーシング、３は同ケーシング２内を熱交換器室と送風機室とに区画する仕切板、４は前記ケーシング２の前面に装着された前面カバー、５は前記ケーシング２に設けられた吸込口８に装着される吸込グリル、６は同吸込グリル５の内面側から少許離間してほぼ平行に設けられたフィルタガイド、７は同フィルタガイド６により前記吸込グリル５の内面側に着脱可能に取り付けられるエアフィルタ、９は前記ケーシング２に設けられ前記吸込口８に連なる空気通路を構成する吹出口、10は前記送風機室に設けられたファンモータ、11は同ファンモータ10により駆動されファンケーシング12内に収容された送風ファンである。
【００２１】
前記吸込グリル５は、平行な多数の横桟5aとこれらを連結する複数の縦桟5a' とで構成されるとともに、前記仕切板３の近傍に、前記エアフィルタ７を前記吸込グリル５の内面側に挿脱する挿脱口5cを有し、
前記エアフィルタ７は、少なくとも両側にフィルタガイド受け部7aおよびフィルタ取付部7bを有し、前記挿脱口5cから挿脱する挿脱方向に直交して弾性変形が可能な変形手段を有した枠体と、前記フィルタ取付部7bに取り付けられるフィルタとで構成され、
前記ケーシング２に、前記挿脱口5cに連なり、前記フィルタガイド受け部7aを前記吸込グリル５の内面側に着脱可能に導くフィルタガイド６を設け、
前記エアフィルタ７を着脱可能に取り付ける際、同エアフィルタ７を、前記挿脱口5cから挿入するとともに、図１６の矢印ｋで示すように弾性変形させながら、前記フィルタガイド６により前記吸込グリル５の内面側に導いて、ねじによりねじ孔5dに螺着して取り付けるようにした構成となっており、
これによって、前記吸込グリル５を取り外すことなく、図５で示す各部の厚さ寸法ｆを同一寸法で形成した場合に比べてより容易に、且つ正確に着脱できるようにした構造となるので、上記に従来技術で説明したように、前記エアフィルタ７を脱着するのに手間が掛かかったり、運転中に前記吸込グリル５を取り外したり開いたりすることによって、前記吸込口８から頭髪が吸い込まれるといった事故が発生しないよう防止できるようにした構造となる。
【００２２】
また、前記エアフィルタ７を前記挿脱方向に直交して弾性変形させる変形手段が、弾性を有する合成樹脂により帯状に形成された前記フィルタガイド受け部7aと、同フィルタガイド受け部7aに下端部が接続されて波形の断面形状に折曲形成された前記フィルタ取付部7bとで構成されてなる構成となっており、
これによって、前記挿脱口5cから前記エアフィルタ７を挿脱する際、同エアフィルタ７を前記挿脱方向に直交して容易に弾性変形させることができるようになるので、前記吸込グリル５を取り外すことなく、同吸込グリル５の内面側に前記エアフィルタ７を容易に着脱できるようにした構造となる。
【００２３】
また、前記エアフィルタ７を構成する前記フィルタ取付部7bに、両側部から吸込空気が流入しないように遮蔽する側壁7cを設けたことにより、前記吸込口８から吸い込まれた前記吸込空気が前記フィルタを効果的に通過するようにした構造となる。
【００２４】
また、前記側壁7cを、前記エアフィルタ７を構成する前記枠体と一体的に形成したことにより、寸法形状が正確に仕上げられるとともにコスト的に有利な構成となっている。
【００２５】
また、前記挿脱口5cおよびこれに対応する前記フィルタガイド６を複数に分割する一方、これら複数の挿脱口5cおよびフィルタガイド６に対応して、前記エアフィルタ７を複数に分割した構成となっており、
これによって、例えば前記本体１が大型であって前記吸込口８が左右に長い寸法で形成されているような場合であっても、前記エアフィルタ７を容易に、且つ正確に着脱可能に取り付けることができるようにした構造となる。
【００２６】
また、前記フィルタ取付部7bの波形状部は、同波形状部に取り付けられる前記フィルタが前記送風機11にほぼ対向する箇所ｊの高さ寸法ｇを先端部の高さ寸法g'およびg'' に比べて少許大きく形成し、同波形状部に沿わせて前記フィルタを取り付けるようにした構成となっており、
これによって、前記フィルタは、前記送風機11にほぼ対向する箇所ｊの単位投影面積当たりの表面積を、前記先端部の単位投影面積当たりの表面積に比べて大きくできるようになり、換言すれば、前記フィルタは、吸込空気量の多い前記送風機11にほぼ対向する箇所ｊが密になる一方、吸込空気量の少ない前記先端部は粗になるので、前記フィルタにより吸込空気に含まれた塵埃をほぼ均一に除去できるようにした構造となる。
【００２７】
また、前記フィルタガイド６が、前記吸込グリル５の内面に形成したグリルリブ5bに対向して設けられ、これらグリルリブ5bおよびフィルタガイド６の間に、前記フィルタガイド受け部7aを挿脱可能に導くようにしたことにより、前記エアフィルタ７をより円滑に、且つより正確に挿脱できるようにした構成となっている。
【００２８】
また、前記フィルタガイド６が、前記ケーシング２および前記仕切板３の間に架設されたことにより、これら仕切板３およびケーシング２を、強度を増強させた状態で組立できるようにした構成となっている。
【００２９】
また、前記グリルリブ5bが、図８で示すように、前記挿脱口5cの周縁に沿って設けられるとともに、前記吸込グリル５の横桟5aに対し、図８で示す角度Θのような鈍角状に形成されたことにより、前記エアフィルタ７を構成するフィルタと前記横桟5aとの間に隙間ｃを確保できるようになって、前記フィルタに溜まった塵埃を前記横桟5aで落下させないようにして、前記エアフィルタ７を円滑に取り外すことができるようにした構成となっている。
【００３０】
また、前記グリルリブ5bの先端部および前記フィルタガイド６間の隙間ｂが、図８で示すように、該隙間ｂに挿脱可能に収容される前記フィルタガイド受け部7aよりも大きい寸法で形成される一方、前記エアフィルタ７の取外し時に前記グリルリブ5bと前記フィルタガイド受け部7aとを接触させた際、前記吸込グリル５の横桟5aと前記エアフィルタ７を構成するフィルタとの間に隙間ｃを形成するようにした構成となっており、
これによって、前記に説明したのと同様に、前記フィルタに溜まった塵埃を前記横桟5aで落下させることなく、前記エアフィルタ７を円滑に取り外すことができるようにした構造となる。
【００３１】
また、前記エアフィルタ７の基端部に、複数の横リブ7gとこれらを連結する縦リブ7eとを設け、同縦リブ7eが前記前面パネル４の端面と前記吸込グリル５の横桟5aとの間に嵌合するようにした構成となっており、
これによって、前記エアフィルタ７を、遊びが生じないよう正確に取付できるようにした構造となる。
【００３２】
また、前記エアフィルタ７の縦リブ7eに、前記前面パネル４に対向するテーパ部7fを設けたことにより、前記前面パネル４の角部との干渉をなくし、同前面パネル４の端面と前記吸込グリル５の横桟5aとの間に前記縦リブ7fが円滑に嵌まり込むようになって、前記エアフィルタ７が正確に固定されるようにした構成となっている。
【００３３】
また、前記エアフィルタ７の横リブ7gおよび縦リブ7eを、前記吸込グリル５の横桟5aおよび縦桟5a' に連続させて設けた構成となっており、これによって、前記エアフィルタ７の横リブ7gおよび縦リブ7eと、前記吸込グリル５の横桟5aおよび縦桟5a' とを連続させたデザインになるため、外観性を損ねることがないようにした構造となり、また、前記横リブ7gに容易に掛けて前記エアフィルタ７を容易に挿脱できるようにした構造となっている。
【００３４】
更に、前記横リブ7gおよび前記縦リブ7eを、前記エアフィルタ７の枠体と一体的に形成したことにより、寸法形状が正確に仕上げられるとともにコスト的に有利な構成となっている。
【００３５】
以上の構成により、図１乃至図６（Ｂ）と、図７（Ａ）および図７（Ｂ）と、図８乃至図１６とで示すように、前記吸込グリル５は、平行な多数の横桟5aとこれらを連結する複数の縦桟5a' とで構成されるとともに、前記仕切板３の近傍に、前記エアフィルタ７を前記吸込グリル５の内面側に挿脱する挿脱口5cを有し、前記エアフィルタ７は、少なくとも両側にフィルタガイド受け部7aおよびフィルタ取付部7bを有し、前記挿脱口5cから挿脱する挿脱方向に直交して弾性変形が可能な変形手段を有した枠体と、前記フィルタ取付部7bに取り付けられるフィルタとで構成され、前記ケーシング２に、前記挿脱口5cに連なり、前記フィルタガイド受け部7aを前記吸込グリル５の内面側に着脱可能に導くフィルタガイド６を設け、前記エアフィルタ７を着脱可能に取り付ける際、同エアフィルタ７を、前記挿脱口5cから挿入するとともに、図１６の矢印ｋで示すように弾性変形させながら、前記フィルタガイド６により前記吸込グリル５の内面側に導いて、ねじによりねじ孔5dに螺着して取り付けるようにしたので、
前記吸込グリル５を取り外すことなく、図５で示す各部の厚さ寸法ｆを同一寸法で形成した場合に比べてより容易に、且つ正確に着脱できるようにした構造となるので、上記に従来技術で説明したように、前記エアフィルタ７を脱着するのに手間が掛かかったり、運転中に前記吸込グリル５を取り外したり開いたりすることによって、前記吸込口８から頭髪が吸い込まれるといった事故が発生しないよう防止できるようにした空気調和機のエアフィルタ取付構造となる。
【００３６】
【発明の効果】
以上のように本発明によれば、エアフィルタを弾性により変形可能な構成にして、吸込グリルを取り外すことなく容易に着脱できるようにした空気調和機のエアフィルタ取付構造となる。
【図面の簡単な説明】
【図１】本発明によるエアフィルタ取付構造を備えた天吊り型の空気調和機本体の側面図である。
【図２】本発明によるエアフィルタ取付構造を備えた天吊り型の空気調和機本体のエアフィルタを取り外した状態を示す下面図である。
【図３】本発明によるエアフィルタ取付構造を備えた天吊り型の空気調和機本体の要部断面図である。
【図４】本発明によるエアフィルタ取付構造を備えた天吊り型の空気調和機本体の要部拡大図である。
【図５】本発明によるエアフィルタ取付構造を備えた天吊り型の空気調和機本体のエアフィルタを取り付けた状態を示す下面図である。
【図６】本発明によるエアフィルタ取付構造を備えた天吊り型の空気調和機本体下面の透視図である。
【図７】本発明による空気調和機のエアフィルタ取付構造の要部説明図で、（Ａ）は図３で示すＡーＡ断面図であり、（Ｂ）は（Ａ）で示すＢ部拡大図である。
【図８】図３に対応する要部拡大図である。
【図９】図６で示すＢーＢ断面図である。
【図１０】図３に対応する要部拡大図で、エアフィルタを取り付けた状態を示す。
【図１１】図３に対応する要部拡大図で、エアフィルタを取り外した状態を示す。
【図１２】本発明による空気調和機のエアフィルタ取付構造に用いられるエアフィルタの斜視図である。
【図１３】図１２で示すＣ部の拡大図である。
【図１４】図１２で示すＤ部の拡大図である。
【図１５】本発明による空気調和機のエアフィルタ取付構造に用いられるエアフィルタの側面図である。
【図１６】本発明による空気調和機のエアフィルタ取付構造に用いられるエアフィルタが弾性変形する状態を示す側面図である。
【符号の説明】
１  天井吊下げ型の空気調和機本体
２  ケーシング
３  仕切板
４  前面カバー
５  吸込グリル
5a  横桟
5a'   縦桟
5b  グリルリブ
5c  挿脱口
5d  ねじ孔
６  ガイド
７  エアフィルタ
7a  フィルタガイド受け部
7b  波形の断面形状
7c  側壁
7d  折曲部
7e  縦リブ
7f  テーパ部
7g  横リブ
８  吸込口
９  吹出口
10  駆動モータ
11  送風ファン
12  ファンケーシング
【図１】
0003814978.tif 000002
【図２】
0003814978.tif 000003
【図３】
0003814978.tif 000004
【図４】
0003814978.tif 000005
【図５】
0003814978.tif 000006
【図６】
0003814978.tif 000007
【図７】
0003814978.tif 000008
【図８】
0003814978.tif 000009
【図９】
0003814978.tif 000010
【図１０】
0003814978.tif 000011
【図１１】
0003814978.tif 000012
【図１２】
0003814978.tif 000013
【図１３】
0003814978.tif 000014
【図１４】
0003814978.tif 000015
【図１５】
0003814978.tif 000016
【図１６】
0003814978.tif 000017